(57)【要約】【課題】  細胞外液の移動の影響を考慮した有用性の高い体組成計を提供すること。【解決手段】  被験者の身体の複数の所定の部位に対応付けて接触させるための複数の電極１１〜１８と、複数の電極１１〜１８を用いて、被験者の部位別インピーダンスを計測するためのインピーダンス計測部１０１と、インピーダンス計測部１０１によるインピーダンスの計測時刻を計るための計時部３４と、計時部３４により計時された計測時刻と、時刻とインピーダンス補正量とが対応付けられた補正関数とを用いて、インピーダンス計測部１０１により計測された部位別インピーダンスを、体組成演算のために補正するインピーダンス補正部１０２と、インピーダンス補正部１０２による補正後の部位別インピーダンスと、被験者の身体特定情報とに基づいて、部位別の体組成を計算するための体組成計算部１０３とを備える。【選択図】        図３
2006223560.tif 000002
【特許請求の範囲】
【請求項１】
被験者の身体の複数の所定の部位に対応付けて接触させるための複数の電極と、
前記複数の電極を用いて、前記被験者の部位別インピーダンスを計測するための第１の計測手段と、
前記第１の計測手段による前記インピーダンスの計測時刻を計るための計時手段と、
前記計時手段により計時された前記計測時刻と、時刻とインピーダンス補正量とが対応付けられた補正関数とを用いて、前記第１の計測手段により計測された前記部位別インピーダンスを、体組成演算のために補正する補正手段と、
前記補正手段による補正後の前記部位別インピーダンスと、前記被験者の身体特定情報とに基づいて、部位別の体組成を計算するための第１の計算手段とを備える、体組成計。
【請求項２】
前記補正関数の候補となる複数の関数を予め記憶するための記憶手段と、
前記身体特定情報より得られる体格情報に基づいて、前記記憶手段に記憶された前記複数の関数から前記補正関数を選択するための選択手段とをさらに備える、請求項１に記載の体組成計。
【請求項３】
前記補正関数の候補となる複数の関数を予め記憶するための記憶手段と、
前記複数の電極を用いて、前記被験者の全身インピーダンスを計測するための第２の計測手段と、
前記第２の計測手段により計測された前記全身インピーダンスと、前記身体特定情報とに基づいて、全身の体組成を計算するための第２の計算手段と、
前記身体特定情報より得られる体格指数に基づいて、前記記憶手段に記憶された前記複数の関数のうち、前記第２の計算手段により計算された前記全身の体組成に対応付けられた前記補正関数を選択するための選択手段とをさらに備える、請求項１に記載の体組成計。
【請求項４】
前記補正関数は、前記計測時刻と基準時刻との差により定められる、請求項１に記載の体組成計。
【請求項５】
被験者に前記基準時刻を設定させるための設定手段をさらに備える、請求項４に記載の体組成計。
【請求項６】
前記第１の計測手段により計測された前記部位別インピーダンスを前記計測時刻とともに複数記憶するための記憶手段と、
前記記憶手段に記憶された前記複数の部位別インピーダンスと前記計測時刻とに基づいて、前記補正関数を作成するための作成手段とをさらに備える、請求項１に記載の体組成計。
【請求項７】
前記第１の計測手段により計測された前記部位別インピーダンスを前記計測時刻とともに複数記憶するための記憶手段と、
前記記憶手段に記憶された前記複数の部位別インピーダンスと前記計測時刻とに基づいて、前記補正関数を修正するための修正手段とをさらに備える、請求項１に記載の体組成計。
【請求項８】
前記第１の計算手段により計算された前記部位別の体組成を、部位ごとに表示するための信号を生成する第１の生成手段と、
前記第１の生成手段からの出力に基づいて、対応する表示を行なうための表示手段とをさらに備える、請求項１に記載の体組成計。
【請求項９】
前記複数の電極を用いて、前記被験者の全身インピーダンスを計測するための第２の計測手段と、
前記第２の計測手段により計測された前記全身インピーダンスと、前記身体特定情報とに基づいて、全身の体組成を計算するための第２の計算手段と、
前記第２の計算手段により計算された前記全身の体組成を表示するための信号を生成する第２の生成手段とをさらに備え、
前記表示手段は、前記第２の生成手段からの出力に基づいて、対応する表示を行なう、請求項８に記載の体組成計。
【請求項１０】
前記身体特定情報に含まれる体重を計測するための体重計測手段をさらに備える、請求項１に記載の体組成計。
【発明の詳細な説明】
【技術分野】
【０００１】
本発明は、生体のインピーダンスを計測するインピーダンス計測装置に関し、特に、インピーダンスを計測することにより被験者の体組成を測定することのできる体組成計に関する。
【背景技術】
【０００２】
従来より、インピーダンスを計測することにより被験者の体組成を測定する体組成計は、被験者の健康管理に用いられている。しかしながら、インピーダンスは、１日の中でも、さまざまな生理的要因や環境要因により変化するため、測定時の状況によって体組成も変化してしまうという問題がある。したがって、このようなインピーダンスの日内変動を補正するための提案がなされている。
【０００３】
たとえば特許文献１には、生理的要因のうち末梢血管の拡張収縮によるによるインピーダンスの日内変動を補正する技術が開示されている。末梢血管の拡張収縮は、体温のサーカディアンリズム等の変化、外気温、自律神経系（交感神経系と副交感神経系の活性化バランス）の影響や疲労による血行不良に基づいて生じるものである。したがって、特許文献１では、末梢血管の拡張収縮が生じるイベント（たとえば入浴等）の前後のインピーダンス値、あるいは、末梢血管の拡張時および収縮時のインピーダンス値を用いて、計測したインピーダンス値を補正する。
【特許文献１】特開２０００−２３９３５号公報
【発明の開示】
【発明が解決しようとする課題】
【０００４】
特許文献１の技術を用いると、上述のような末梢血管の拡張収縮によるインピーダンスの日内変動を補正することができる。しかしながら、インピーダンスの日内変動の要因として、特にリンパ液等の細胞外液の移動による影響も大きく、特許文献１ではこのような細胞外液の移動による日内変動の影響が考慮されていない。
【０００５】
本発明は、上記のような問題を解決するためになされたものであって、その目的は、細胞外液の移動の影響を考慮した有用性の高い体組成計を提供することである。
【課題を解決するための手段】
【０００６】
この発明のある局面に従う体組成計は、被験者の身体の複数の所定の部位に対応付けて接触させるための複数の電極と、複数の電極を用いて、被験者の部位別インピーダンスを計測するための第１の計測手段と、第１の計測手段によるインピーダンスの計測時刻を計るための計時手段と、計時手段により計時された計測時刻と、時刻とインピーダンス補正量とが対応付けられた補正関数とを用いて、第１の計測手段により計測された部位別インピーダンスを、体組成演算のために補正する補正手段と、補正手段による補正後の部位別インピーダンスと、被験者の身体特定情報とに基づいて、部位別の体組成を計算するための第１の計算手段とを備える。
【０００７】
好ましくは、補正関数の候補となる複数の関数を予め記憶するための記憶手段と、被験者の身体特定情報より得られる体格情報に基づいて、記憶手段に記憶された複数の関数から補正関数を選択するための選択手段とをさらに備える。
【０００８】
好ましくは、補正関数の候補となる複数の関数を予め記憶するための記憶手段と、複数の電極を用いて、被験者の全身インピーダンスを計測するための第２の計測手段と、第２の計測手段により計測された全身インピーダンスと、被験者の身体特定情報とに基づいて、全身の体組成を計算するための第２の計算手段と、被験者の身体特定情報より得られる体格指数に基づいて、記憶手段に記憶された複数の関数のうち、第２の計算手段により計算された全身の体組成に対応付けられた補正関数を選択するための選択手段とをさらに備える。
【０００９】
好ましくは、補正関数は、計測時刻と基準時刻との差により定められる。
【００１０】
好ましくは、被験者に基準時刻を設定させるための設定手段をさらに備える。
【００１１】
好ましくは、第１の計測手段により計測された部位別インピーダンスを計測時刻とともに複数記憶するための記憶手段と、記憶手段に記憶された複数の部位別インピーダンスと計測時刻とに基づいて、被験者の補正関数を作成するための作成手段とをさらに備える。
【００１２】
好ましくは、第１の計測手段により計測された部位別インピーダンスを計測時刻とともに複数記憶するための記憶手段と、記憶手段に記憶された複数の部位別インピーダンスと計測時刻とに基づいて、被験者の補正関数を修正するための修正手段とをさらに備える。
【００１３】
好ましくは、第１の計算手段により計算された部位別の体組成を、部位ごとに表示するための信号を生成する第１の生成手段と、第１の生成手段からの出力に基づいて、対応する表示を行なうための表示手段とをさらに備える。
【００１４】
好ましくは、複数の電極を用いて、被験者の全身インピーダンスを計測するための第２の計測手段と、第２の計測手段により計測された全身インピーダンスと、被験者の身体特定情報とに基づいて、全身の体組成を計算するための第２の計算手段と、第２の計算手段により計算された全身の体組成を表示するための信号を生成する第２の生成手段とをさらに備え、表示手段は、第２の生成手段からの出力に基づいて、対応する表示を行なう。
【００１５】
好ましくは、身体特定情報に含まれる体重を計測するための体重計測手段をさらに備える。
【発明の効果】
【００１６】
本発明によると、細胞外液の移動の影響による部位別インピーダンスの日内変動を補正することができる。また、補正後の部位別インピーダンスを用いて部位別の体組成を計算するため、インピーダンスの日内変動を考慮した精度の高い体組成を測定することが可能となる。
【発明を実施するための最良の形態】
【００１７】
本発明の実施の形態について図面を参照しながら詳細に説明する。なお、図中同一または相当部分には同一符号を付してその説明は繰返さない。
【００１８】
［実施の形態１］
＜本発明の実施の形態１における体組成計の外観および構成＞
図１は、本発明の実施の形態１における体組成計１００の外観斜視図である。
【００１９】
図１を参照して、体組成計１００は、第１の筐体１および第２の筐体２により構成される。第１の筐体１および第２の筐体２は、ケーブル３により接続される。体組成計１００には、被験者の身体の複数の所定の部位に対応付けて接触させるための複数の電極１１〜１８が設けられる。
【００２０】
第１の筐体１には、被験者の左足を載置するための載置部１．１と、被験者の右足を載置するための載置部１．２と、第２の筐体２とケーブル３とを収納するための収納部４とが設けられる。なお、第１の筐体１の内部には、被験者の体重を計測するための体重計測部３２（図３参照）、たとえば体重センサが設けられているものとする。
【００２１】
載置部１．１および１．２には、それぞれ被験者の足裏に接触させるための電極が２つずつ備えられる。左足用の載置部１．１には、左足の指側に電流印加用の電極１７が設けられ、左足の踵側に電圧測定用の電極１３が設けられる。また同様に、右足用の載置部１．２には、右足の指側に電流印加用の電極１８が設けられ、左足の踵側に電圧測定用の電極１４が設けられる。
【００２２】
また、載置部１．１および１．２は、被験者が両足を載置すると上記電極１３，１４，１７，１８と接触するように、ほぼ足の外形をなすように形成されている。これにより、両足裏が左右方向に載置部１．１および１．２からずれたとしても、電流印加用の電極１７，１８および電圧測定用の電極１３，１４からはずれにくいので、接触部位および接触面積の変動による誤差の発生を防止することができる。また、大腿部における接触状態の変動による影響も防止することができる。したがって、信頼性の高い測定が可能となる。
【００２３】
第２の筐体２は、本体部２．１と、被験者が左手で握るための左手用のグリップ部２．２と、被験者が右手で握るための右手用のグリップ部２．３とにより構成される。
【００２４】
本体部２．１の前面には、測定結果や各種情報を表示するための表示部２０、および、被験者により操作されて、被験者からの指示や各種情報の入力を受付けるための操作部３０が設けられる。なお、第２の筐体２の本体部２．１に設けられた表示部２０および操作部３０については、後に、図４を用いて詳細に説明する。
【００２５】
なお、本実施の形態においては、操作部３０に含まれる電源スイッチ３０１は、たとえば第１の筐体１の前面中央に設けられる。
【００２６】
第２の筐体２のグリップ部２．２および２．３には、それぞれ被験者の手の内側に接触させるための電極が２つずつ設けられる。左手用のグリップ部２．２には、左手の親指側に電流印加用の電極１５が設けられ、左手の小指側に電圧測定用の電極１１が設けられる。同様に、右手用のグリップ部２．３には、右手の親指側に電流印加用の電極１６が設けられ、右手の小指側に電圧測定用の電極１２が設けられる。
【００２７】
このように、本発明の実施の形態１における体組成計１００は、左手、右手、左足、右足の４つの部位にそれぞれ電流印加用および電圧測定用の電極を接触させる構成とされる。なお、このような構成に限られず、たとえば、さらに他の部位用の電流印加用および電圧測定用の電極を備えることとしてもよい。
【００２８】
図２は、被験者が本発明の実施の形態１における体組成計１００を用いて、体組成を測定する際の測定姿勢を示す図である。
【００２９】
図２を参照して、被験者２００は、直立した姿勢で、左足２０３および右足２０４をそれぞれ第１の筐体１の載置部１．１および１．２に配置する。また、左手２０１で第２の筐体のグリップ部２．２を握り、右手２０２でグリップ部２．３を握る。この際、両腕２０５および２０６の肘を伸ばし、第２の筐体２が身体前方に対向するようにほぼ肩の高さに保持し、腕２０５，２０６と胴２０７とが略直角をなすようにする。
【００３０】
図３は、本発明の実施の形態１における体組成計１００のブロック図である。図３を参照して、体組成計１００は、上記した複数の電極１１〜１８、表示部２０、操作部３０、および体重計測部３２に加え、体組成計１００全体の制御や各種演算等の処理を行なうためのマイコン（マイクロコンピュータの略）１０と、所定周波数の高周波定電流を発生する高周波定電流発生回路４１と、電流印加用の電極１５〜１８を切り替えるための電流印加用電極切替回路４２と、電圧測定用の電極１１〜１４を切り替えるための電圧測定用電極切替回路４３と、電圧測定用電極切替回路４３より得られる電圧情報および体重計測部３２より得られる体重情報のいずれか一方に入力を切り替えるため入力切替回路４４と、入力切替回路４４より得られる電圧情報および体重情報をアナログ信号からデジタル信号に変換するためのＡ（analog）／Ｄ（digital）変換回路４５と、操作部３０に含まれる電源スイッチ３０１が操作されることによりマイコン１０に電力を供給するための電源部３１と、測定結果などの情報を記憶するための外部メモリ３３と、日付および時刻を計測するための計時部３４とを備える。また、マイコン１０には、各種制御プログラムなどを記憶するための内部メモリ１３３が含まれる。
【００３１】
なお、本実施の形態において、外部メモリ３３は、たとえば、ＥＥＰＲＯＭ（Electrically Erasable Programmable Read-Only Memory）を含んでおり、後に詳述する被験者の身体特定情報や、体組成などの測定結果は、このＥＥＰＲＯＭに格納される。
【００３２】
ここで、「身体特定情報」とは、本発明の実施の形態において、被験者の体組成を計算する際に必要となる被験者の身体情報であって、少なくとも身長および体重の情報であり、より好ましくは、身長および体重に加え、年齢および性別などを含む情報である。ここでの説明においては、身体特定情報として、身長，体重，年齢および性別の４つの身体情報をいうものとする。
【００３３】
体組成計１００では、身体特定情報のうちの体重については、体重計測部３２において測定することができる。したがって、体組成測定の際、本実施の形態では、被験者により予め他の３つの身体情報（身長，年齢，性別）が操作部３０を用いて入力される。
【００３４】
なお、体組成計１００に、体重計測部３２を設けない構成であってもよく、この場合、予め、上記４つの身体情報（身長，体重，年齢，性別）が操作部３０により入力されるものとする。
【００３５】
マイコン１０は、インピーダンス計測部１０１と、インピーダンス補正部１０２と、体組成計算部１０３とを含み、内部メモリ１３３に格納されたプログラムに従い、インピーダンスの計測、インピーダンスの補正、および体組成の計算を行なう。また、Ａ／Ｄ変換回路４５を介して取得される体重計測部３２、たとえば体重センサからの信号に基づいて、公知の手法により体重を測定する。また、後述する体組成計算部１０３での測定結果などを、表示部２０に表示するための信号を生成する。また、外部メモリ３３への書き込みおよび読み出しを行なう。
【００３６】
インピーダンス計測部１０１は、全身および部位別のインピーダンスを計測する。なお、「部位別のインピーダンス」とは、全身を複数の身体部位に分けた場合の所定の身体部位ごとのインピーダンスを表わし、少なくとも１つの身体部位のインピーダンスを表わすものとする。本実施の形態においては、部位別のインピーダンスとして、腕部、脚部、体幹部の３つの身体部位のインピーダンスを計測する。ここで、「腕部」とは、たとえば両腕の手首から肩口までを表わす身体部位であり、「脚部」とは、たとえば両脚の足首から脚の付け根までを表わす身体部位であり、「体幹部」とは、胴体を表わす身体部位であるものとする。
【００３７】
インピーダンス計測部１０１は、電流印加用電極切替回路４２および電圧測定用電極切替回路４３を制御し、電流印加用の電極および電圧測定用の電極を順次切り替えて、全身および部位別のインピーダンスを計測する。より具体的には、高周波定電流発生回路４１より流した電流値と、Ａ／Ｄ変換回路４５を介して取得される２極間の電位差とに基づいて、各インピーダンスを計測する。
【００３８】
なお、以下、全身のインピーダンスを「Ｚｗ」、腕部のインピーダンスを「Ｚｈ」、脚部のインピーダンスを「Ｚｆ」、体幹部のインピーダンスを「Ｚｔ」として説明する。
【００３９】
本実施の形態において、インピーダンス計測部１０１は、腕部のインピーダンスＺｈを計測するために、まず、左腕のインピーダンス（「Ｚｌｈ」）と右腕のインピーダンス（「Ｚｒｈ」）とを計測する。そして、たとえば、左腕のインピーダンスＺｌｈと右腕のインピーダンスＺｒｈとを足すことにより、腕部のインピーダンスＺｈを求める。
【００４０】
また、脚部のインピーダンスＺｆを計測するために、まず、左脚のインピーダンス（「Ｚｌｆ」）と右脚のインピーダンス（「Ｚｒｈ」）とを計測する。そして、たとえば、左脚のインピーダンスＺｌｆと右脚のインピーダンスＺｒｆとを足すことにより、脚部のインピーダンスＺｆを求める。
【００４１】
なお、具体的なインピーダンスの計測方法については、後述する。
【００４２】
インピーダンス補正部１０２は、インピーダンス計測部１０１で計測した部位別のインピーダンスを補正する。この、インピーダンスの補正については後に詳述する。
【００４３】
体組成計算部１０３は、インピーダンス計測部１０１およびインピーダンス補正部１０２からのインピーダンスの情報に基づいて、被験者の全身および部位別の体組成を計算する。体組成計算部１０３は、部位別の体組成として、少なくとも１つの身体部位の体組成を計算し、本実施の形態では、腕部・脚部・体幹部の３つの身体部位の体組成を計算する。なお、たとえば、左腕、右腕、左脚、右脚、体幹部の５つの身体部位の体組成を計算するものであってもよいし、他の身体部位の体組成を計算するものであってもよい。
【００４４】
なお、以下、体組成測定の対象とされる、全身および身体部位を、総称して「被測定部位」というものとする。
【００４５】
本実施の形態において、「全身の体組成」とは、少なくとも全身の体脂肪率であり、より好ましくは、全身の体脂肪率に加え、全身の筋肉率、除脂肪量、筋肉量、内臓脂肪レベル、基礎代謝、および、計算した基礎代謝が何歳に相当するかを表わす指標（以下「年齢指標」という）などを含む生体情報である。
【００４６】
また、「部位別の体組成」とは、少なくとも身体部位ごとの体脂肪率であり、より好ましくは、身体部位ごとの体脂肪率に加え、身体部位ごとの筋肉率や除脂肪量、筋肉量を含む生体情報である。
【００４７】
次に、本発明の実施の形態における体組成計１００の表示部２０および操作部３０の具体例を図４に示す。図４は、第２の筐体２の正面図である。
【００４８】
図４を参照して、第２の筐体２の本体部２．１の表示部２０は、第１の表示領域２０．１と第２の表示領域２０．２とを含む。第１の表示領域２０．１および第２の表示領域２０．２は、たとえば液晶等により構成される。
【００４９】
第１の表示領域２０．１には、被験者の身体特定情報や測定結果などを示す数値や文字、図形等が表示される。また、第２の表示領域２０．２には、たとえば、身体を複数の身体部位に分けた図形（以下「人体図」という）が表示される。そして、第１の表示領域２０．１に測定結果が表示される場合には、人体図のうち、表示中の被測定部位の部分が点灯表示される。これにより、第１の表示領域２０．１に表示されている被測定部位の情報を被験者に知らせることができる。
【００５０】
なお、表示部２０はこのような構成に限られず、表示中の被測定部位の情報が被験者に知らせることができるものであればよい。
【００５１】
操作部３０は、複数の操作スイッチを含む。たとえば、全身の体組成などの測定結果を表示するための全身スイッチ３０２と、体幹部の体組成などの測定結果を表示するための体幹スイッチ３０３と、脚部の体組成などの測定結果を表示するための脚スイッチ３０４と、腕部の体組成などの測定結果を表示するための腕スイッチ３０５と、各種設定や表示切替を行なうための設定／表示切替スイッチ３０６と、外部メモリ３３に記憶された測定結果を表示するためのメモリスイッチ３０７と、部位情報の設定の際などに数値の増減を行なうための上下スイッチ３０８と、被験者の情報を特定するための個人番号スイッチ３０９とを含む。なお、全身スイッチ３０２、体幹スイッチ３０３、脚スイッチ３０４、腕スイッチ３０５を総称して「部位別スイッチ」と称する。
【００５２】
個人番号スイッチ３０９は、少なくとも１つ設けられる。図４においては、２つ設けられ、この個人番号スイッチ３０９で指定される番号（１，２）ごとに、被験者の身体特定情報および測定結果などが外部メモリ３３に記憶される。
【００５３】
なお、操作部３０にたとえばゲストスイッチ３１０を設けて、測定の度に被験者の身体特定情報を入力し、体組成の測定を行なうこととしてもよい。
【００５４】
また、操作部３０は、上記のような操作スイッチにより構成されているものでなくてもよい。たとえば、タッチパネルなどにより各種情報や指示の入力がされるものであってもよい。
【００５５】
＜体組成の計算例＞
次に、上記体組成計算部１０３において計算される全身および部位別の体組成のうち、除脂肪量および体脂肪率の計算方法について説明する。
【００５６】
（除脂肪量の計算）
はじめに、除脂肪量の計算式は、除脂肪量をＦＦＭ、インピーダンスをＺ、身長をＨ、体重をＷ、年齢をＡｇとすると、次式（１）で表わされる。
【００５７】
ＦＦＭ＝ａ・Ｈ２／Ｚ＋ｂ・Ｗ＋ｃ・Ａｇ＋ｄ                …（１）
上記式（１）において、ａ〜ｄはそれぞれ所定の定数であり、性別や被測定部位ごとに異なるものとする。したがって、除脂肪量（ＦＦＭ）を算出する場合、式（１）のインピーダンス「Ｚ」の値は、被測定部位が全身であれば「Ｚｗ」、被測定部位が体幹部であれば「Ｚｔ」の値となる。
【００５８】
このような、性別や被測定部位ごとの除脂肪量の計算式に用いる所定の定数ａ〜ｄは、予め外部メモリ３３に記憶される。なお、除脂肪量（ＦＦＭ）の算出式は、式（３）のような１次関数に限られず、２次関数などであってもよい。
【００５９】
（体脂肪率の計算）
全身の体脂肪率の計算式は次式（２）で表わされる。
【００６０】
体脂肪率（％）＝｛体脂肪量（ｋｇ）÷体重（ｋｇ）｝×１００  …（２）
上記体脂肪量の計算式は次式（３）で表わされる。
【００６１】
体脂肪量（ｋｇ）＝体重（ｋｇ）−除脂肪量（ｋｇ）      …（３）
このように、全身の体脂肪率は、上記（１）式で計算された全身の除脂肪量（ＦＦＭ）に基づいて計算される。
【００６２】
また、部位別の体脂肪率は、計測された部位別のインピーダンスと身体特定情報との情報から、予めＤＥＸＡ（Dual energy X-ray absorptiometry）などで測定されたリファレンスとの相関に基づき計算される。
【００６３】
以上より、被測定部位ごと、すなわち、全身および部位別の除脂肪量および体脂肪率は、インピーダンス計測部１０１において計測される全身および部位別のインピーダンスに基づいて計算される。
【００６４】
なお、体組成のうち除脂肪量および体脂肪率以外の生体情報については、たとえば公知の手法などを用いて計算することができる。
【００６５】
＜インピーダンスの計測＞
図５は、各身体部位のインピーダンス成分を示す模式図である。また、図６は、全身のインピーダンス成分を示す模式図である。図５および図６は、被験者の身体の各身体部位および全身を抵抗とコンデンサとからなる等価回路で近似して示したものである。
【００６６】
ここで、各インピーダンスの成分は、細胞内液Ｒｉ，細胞外液Ｒｏ，細胞膜Ｃｉにより表わされる。このとき、各インピーダンスは、細胞膜Ｃｉによる容量および細胞内液Ｒｉによる抵抗と、細胞外液Ｒｏによる抵抗とが並列に接続された等価回路で表わされる。
【００６７】
具体的には、図５を参照して、左腕のインピーダンスＺｌｈは、細胞膜Ｃｉ＿ｌｈによる容量および細胞内液Ｒｉ＿ｌｈによる抵抗と、細胞外液Ｒｏ＿ｌｈによる抵抗との等価回路で表わされる。右腕のインピーダンスＺｒｈは、細胞膜Ｃｉ＿ｒｈによる容量および細胞内液Ｒｉ＿ｒｈによる抵抗と、細胞外液Ｒｏ＿ｒｈによる抵抗との等価回路で表わされる。体幹のインピーダンスＺｔは、細胞膜Ｃｉ＿ｔによる容量および細胞内液Ｒｉ＿ｔによる抵抗と、細胞外液Ｒｏ＿ｔによる抵抗との等価回路で表わされる。また、左脚のインピーダンスＺｌｈは、細胞膜Ｃｉ＿ｌｆによる容量および細胞内液Ｒｉ＿ｌｆによる抵抗と、細胞外液Ｒｏ＿ｌｆによる抵抗との等価回路で表わされる。右脚のインピーダンスＺｒｆは、細胞膜Ｃｉ＿ｒｆによる容量および細胞内液Ｒｉ＿ｒｆによる抵抗と、細胞外液Ｒｏ＿ｒｆによる抵抗との等価回路で表わされる。
【００６８】
また、図６を参照して、全身のインピーダンスＺｗは、細胞外液Ｒｏ＿ｗと、細胞膜Ｃｉ＿ｗおよび細胞内液Ｒｉ＿ｗとの等価回路で表わされる。
【００６９】
本実施の形態において、インピーダンス計測部１０１は、電極１１〜１８を切り替えることにより各インピーダンス（Ｚｌｈ，Ｚｒｈ，Ｚｔ，Ｚｌｆ，Ｚｒｈ，Ｚｗ）を計測する。
【００７０】
たとえば左腕のインピーダンスＺｌｈは、図７に示すように、左手・左足間に交流電流を流し、両手間の電位差を測ることにより計測される。具体的には、インピーダンス計測部１０１は、電流印加用の電極１５，１７間に高周波（交流）電流を流し、電圧測定用の電極１１，１２間の電位差を測定することによって、左腕のインピーダンスＺｌｈを算出する。
【００７１】
また、全身のインピーダンスＺｗを計測するためには、図８に示すように、両手・両足間に交流電流を流し、両手・両足間の電位差を測ることにより計測される。具体的には、インピーダンス計測部１０１は、両手の電流印加用の電極１５，１６間および、両足の電流印加用の電極１７，１８間をそれぞれ接続し、また、両手の電圧測定用の電極１１，１２間および、両足の電圧測定用の電極１３，１４間をそれぞれ接続して、電流印加用の電極１５〜１８に高周波（交流）電流を１方向に流し、電圧測定用の電極１１〜１４を用いて電位差を測ることによって、全身のインピーダンスＺｗが計測される。
【００７２】
このように全身および部位別のインピーダンスを計測することにより、上記（１）〜（３）式に基づいて全身および部位別の体脂肪率を計算する。
【００７３】
＜インピーダンスの日内変動＞
しかし、上記インピーダンス成分のうち、特にリンパ液等の細胞外液Ｒｏ（以下「体水分」という）は、一般的に、１日の中で朝から夕方にかけて下半身に移動する。このような、体水分の移動の影響によるインピーダンスの日内変動について、図９を用いて説明する。
【００７４】
図９は、インピーダンスの日内変動の一例を示す図である。図９において、横軸を時間、縦軸をインピーダンス値（Ω）とする。なお、図９では、朝８時に起床し、２４時に就寝した場合の一例を示すものとする。
【００７５】
図９に示すように、全身インピーダンスＺｗは、体水分の移動の影響による日内変動は受けず一定（たとえば３００Ω）である。これは、図８に示したように、全身を各部に分けず１つの抵抗とみなして全身インピーダンスＺｗを求めるため、体水分の分布が変化しても全体のインピーダンスは変動しないことによる。
【００７６】
一方、腕部（上肢）のインピーダンスＺｈは、８時から２４時までの間、時間が経つにつれて次第に高くなる。図９において、８時では３５０Ωが計測され、２４時では３７０Ωが計測されている。これは、時間が経つにつれて体水分が減り、抵抗が大きくなるためである。
【００７７】
また、逆に、脚部（下肢）のインピーダンスＺｆは、８時から２４時までの間、時間が経つにつれて次第に低くなる。図９において、８時では３３０Ωが計測され、２４時では３１０Ωが計測されている。これは、時間が経つにつれて体水分が増え、抵抗が小さくなるためである。
【００７８】
このように全身のインピーダンスＺｗは、サウナで多量の汗を流すなどの特別なイベントがない限り、体水分の移動による影響による日内変動は起こらないといえる。しかし、図９に示されるように、部位別のインピーダンスは、体水分の移動による影響を受け、日内変動が起こる。
【００７９】
このため、部位別の体組成も、１日の中でも測定する時間によって変動してしまうことになる。たとえば腕部（上肢）や脚部（下肢）の体脂肪率では、測定時刻によって１〜２％程度変動してしまう。そうすると、適切な部位別の体組成を被験者に提示することができない。
【００８０】
そこで、本発明の実施の形態における体組成計１００は、部位別の体組成演算のために、部位別のインピーダンスを測定時刻によって補正する。以下、部位別インピーダンスの補正について説明する。
【００８１】
なお、「測定時刻」とは、インピーダンスを計測する際の時刻（時間）を表わすものとする。
【００８２】
＜部位別インピーダンスの補正＞
インピーダンス補正部１０２は、測定時刻と、時刻とインピーダンス補正量とが対応付けられた補正関数とを用いて、インピーダンス計測部１０１で計測した部位別のインピーダンスを補正する。実施の形態１において、このように、時刻とインピーダンス補正量とが対応付けられた補正関数を「ｇ１（ｔ）」と表わす。
【００８３】
なお、インピーダンス計測部１０１で計測した部位別のインピーダンス全てを補正するものでなくてもよく、少なくとも１つの身体部位のインピーダンスを補正できるものであればよい。
【００８４】
以下の説明において、部位別のインピーダンス、すなわち、腕部のインピーダンスＺｈ，脚部のインピーダンスＺｆ，体幹部のインピーダンスＺｔを総称して、「インピーダンスＺｚ」というものとする。
【００８５】
計測した部位別インピーダンスを「Ｚｚ」、補正後の部位別インピーダンス「Ｚｚ’」は、次式（４）のように表わされる。
【００８６】
Ｚｚ’＝Ｚｚ＋ｇ１（ｔ）            …（４）
ここで、補正関数ｇ１（ｔ）について説明する。
【００８７】
補正関数ｇ１（ｔ）は、たとえば、次式のように表わされる。なお、実施の形態１において、「ｔ」は測定時刻を表わし、ａ１，ｂ１は、所定の定数である。
【００８８】
ｇ１（ｔ）＝ａ１・ｔ＋ｂ１          …（５）
なお、補正関数ｇ１（ｔ）は、このような１次関数に限られない。
【００８９】
本実施の形態においては、図３に示した外部メモリ３３に、予め、複数の補正関数の候補、すなわち、上記ａ１，ｂ１に該当する複数の定数が記憶されている。複数の定数はそれぞれ、予め、体格情報に関連付けられて記憶されているものとする。
【００９０】
「体格情報」とは、少なくとも被験者の身体特定情報より得られる情報である。また、身体特定情報より得られる情報と、体組成計１００により計測された全身インピーダンスもしくは計算された全身の体組成との対応関係の基づく情報であってもよい。
【００９１】
具体的には、被験者の身体特定情報より得られる情報として、身長，体重，年齢，性別など身体特定情報そのものであってもよいし、身長と体重とにより計算される体格指数（ＢＭＩ）であってもよい。なお、体格指数（ＢＭＩ）は、（体重）／（身長）２で表わされる。
【００９２】
また、体組成計１００により計測された全身インピーダンスもしくは計算された全身の体組成との対応関係の基づく情報として、たとえば、体格指数と全身の体脂肪率との対応関係に基づく情報であってもよい。
【００９３】
本実施の形態では、以下、体格情報として、体格指数（ＢＭＩ）を用いて説明する。
【００９４】
被験者がはじめて体組成計１００を用いて体組成を計測する場合、外部メモリ３３に記憶された複数の定数のうち、被験者の体格指数に対応付けて記憶された定数が選択される。そして、選択された定数（ａ１，ｂ１）は、たとえば外部メモリ３３の所定の領域に記憶される。このようにして、補正関数ｇ１（ｔ）が選択されることになる。
【００９５】
なお、体格情報として、上記のような、体格指数と全身の体脂肪率との対応関係に基づく情報が採用される場合は、複数の関数が、予め、体格指数および全身の体脂肪率とに対応付けられた対応テーブルの形式で記憶されていてもよい。この場合、被験者が、はじめて体組成計１００を用いて体組成を測定すると、たとえば次のような処理が行なわれる。
【００９６】
インピーダンス計測部１０１により、全身および部位別のインピーダンスが計測されると、まず、体組成計算部１０３が全身インピーダンスＺｗより全身の体脂肪率を計算する。インピーダンス補正部１０２は、体組成計算部１０３で計算された全身の体脂肪率と、身体特定情報より得られる体格指数とに基づき、対応付けられて記憶された補正関数を選択する。
【００９７】
なお、本実施の形態においては、インピーダンス計測部１０１において計測された全ての部位別インピーダンスを補正するものでなくてもよく、少なくとも１つの身体部位のインピーダンスを補正するものであればよい。
【００９８】
＜本発明の実施の形態１における体組成計の動作＞
図１０および図１１は、本発明の実施の形態１における体組成計１００の測定処理の流れを示すフローチャートである。なお、この処理が開示される時点で、予め外部メモリ３３には、被験者の個人番号に対応付けて、被験者の身体特定情報が記憶されているものとして説明する。
【００９９】
図１０を参照して、初めに、電源スイッチ３０１が操作されると電源部３１によりマイコン１０に電力が供給される（ステップＳ１０）。続いて、マイコン１０は、体重計測部３２における体重計を初期化する（ステップＳ１２）。
【０１００】
そして、マイコン１０は、体重計測部３２からのセンサ信号の出力が安定したか否かを判断する（ステップＳ１４）。センサ信号の出力が安定していないと判断すると（ステップＳ１４においてＮＯ）、ステップＳ１２に処理を戻す。一方、センサ信号の出力が安定したと判断した場合（ステップＳ１４においてＹＥＳ）、マイコン１０は、体重測定の準備が完了したことを検知する（ステップＳ１６）。
【０１０１】
続いて、マイコン１０は、個人番号の選択があったか否かを判断する（ステップＳ１８）。個人番号の選択がなかったと判断した場合（ステップＳ１８においてＮＯ）、体重のみの測定モードであると判断する（ステップＳ２０）。
【０１０２】
続いて、マイコン１０は、所定時間内に体重値が安定したか否かを判断する（ステップＳ２２）。所定時間内に体重値が安定しなければ（ステップＳ２２においてＮＯ）、エラーであると判定する（ステップＳ２４）。このとき、エラーである旨の表示を表示部２０の第１の表示領域２０．１に表示させてもよい。なお、後のステップにおいても、エラーと判定されると、同様の表示をさせてもよい。
【０１０３】
ステップＳ２４の処理が終了すると、体組成計１００の電源を切ってこの測定処理を終了する（ステップＳ６８）。
【０１０４】
ステップＳ２２において所定時間内に体重値が安定したと判断した場合（ステップＳ２２においてＹＥＳ）、体重値を確定する（ステップＳ２６）。そして、マイコン１０は、表示部２０にステップＳ２６において確定した体重値を表示する（ステップＳ２８）。ステップＳ２８の処理が終了すると、体組成計１００の電源を切ってこの測定処理を終了する（ステップＳ６８）。
【０１０５】
一方、ステップＳ１８において、個人番号が選択されたと判断した場合（ステップＳ１８においてＹＥＳ）、続いて、メモリスイッチ３０７が押されたか否かを判断する（ステップＳ３０）。メモリスイッチ３０７が押されたと判断した場合（ステップＳ３０においてＹＥＳ）、外部メモリ３３に記憶された過去の測定結果を示すメモリ値を表示する（ステップＳ３２）。なお、初めて体組成を測定する場合など過去のメモリ値が外部メモリ３３に記憶されていない場合には、たとえば、エラー表示を行なって、ステップＳ３４の処理へ進むこととしてもよい。
【０１０６】
ステップＳ３２の処理が終了すると、体組成計１００の電源を切ってこの測定処理を終了する（ステップＳ６８）。
【０１０７】
一方、ステップＳ３０においてメモリスイッチ３０７が押されなかったと判断した場合（ステップＳ３０においてＮＯ）、マイコン１０は、体重および体組成測定モードであると判断する（ステップＳ３４）。そして、マイコン１０は、所定時間内に体重値が安定したか否かを判断する（ステップＳ３６）。所定時間内に体重値が安定しなかった場合（ステップＳ３６においてＮＯ）、マイコン１０はエラーであると判定する（ステップＳ３８）。そして、ステップＳ３８の処理が終了すると、体組成計１００の電源を切ってこの測定処理を終了する（ステップＳ６８）。
【０１０８】
ステップＳ３６において所定時間内に体重値が安定したと判断した場合（ステップＳ３６においてＹＥＳ）、マイコン１０は体重値を確定する（ステップＳ４０）。確定した体重値は、たとえば外部メモリ３３の所定の領域に一時的に記憶される。
【０１０９】
ステップＳ４０の処理が終了すると、マイコン１０は、入力切替回路４４に制御信号を送信し、入力を電圧測定用電極１１〜１４からの電圧情報に切り替えて、図１１に示すステップＳ４２に処理を進める。
【０１１０】
図１１を参照して、ステップＳ４２において、マイコン１０のインピーダンス計測部１０１は、所定時間内にインピーダンス値が所定範囲内であるか否かを判断する（ステップＳ４２）。所定時間内にインピーダンス値は所定範囲内にならなければ（ステップＳ４２においてＮＯ）、エラーであると判定する（ステップＳ４４）。ステップＳ４４において、エラーであると判定されると、体組成計１００の電源を切ってこの測定処理を終了する（ステップＳ６８）。
【０１１１】
一方、ステップＳ４２において、所定時間内にインピーダンス値が所定範囲内にあると判断した場合（ステップＳ４２においてＹＥＳ）、ステップＳ４６に処理を進める。
【０１１２】
ステップＳ４６において、インピーダンス計測部１０１は、所定時間内にインピーダンス値が安定したか否かを判断する（ステップＳ４６）。所定時間内にインピーダンス値が安定しなければ（ステップＳ４６においてＮＯ）、インピーダンス計測部１０１はエラーであると判定する（ステップＳ４８）。ステップＳ４８においてエラーであると判断されると、体組成計１００の電源を切ってこの測定処理を終了する（ステップＳ６８）。
【０１１３】
一方、所定時間内にインピーダンス値が安定したと判断した場合（ステップＳ４６においてＹＥＳ）、インピーダンス補正部１０２は、インピーダンス補正処理を行なう（ステップＳ５０）。なお、このインピーダンス補正処理については、後にサブルーチンを挙げて説明する。
【０１１４】
ステップＳ５０の処理が終了すると、マイコン１０は、インピーダンス値を確定する（ステップＳ５２）。ステップＳ５２では、インピーダンス計測部１０１で計測した全身インピーダンスＺｗ、および、インピーダンス補正部１０２での補正後の部位別インピーダンスＺｚ’を、体組成演算のためのインピーダンス値として確定する。
【０１１５】
ステップＳ５２においてインピーダンス値が確定すると、体組成計算部１０３は、体組成の計算処理を行なう（ステップＳ５４）。ステップＳ５４において、体組成計算部１０３は、上述のように、全身の体組成および部位別の体組成を計算する。なお、体組成の計算は、たとえば公知の手法により行なうことができる。
【０１１６】
ステップＳ５４の処理が終了すると、マイコン１０は、ステップＳ４０において確定した体重値およびステップＳ５４において計算した体組成の数値を、外部メモリ３３に測定結果として記憶する（ステップＳ５６）。
【０１１７】
この測定結果は、被験者の個人番号ごとに、計時部３４より得られる日付および測定時刻の情報とともに、たとえば所定数記憶される。所定数を超えると、古いメモリ値に上書きされるなど、最新の測定結果が記憶される。なお、ステップＳ５６においては、体組成数値のみが記憶されることとしてもよい。また、ステップＳ５４で計算した体組成の数値のうち所定の情報のみを記憶することとしてもよい。
【０１１８】
次に、マイコン１０は、計算した体組成数値を表示部２０に表示する（ステップＳ５８）。ここでは、全身の体組成および他の情報が表示される。全身の体組成として、少なくとも体脂肪率が表示され、さらに、体脂肪率、筋肉率、内臓脂肪レベル、基礎代謝、および上記年齢指標などが表示される。また、ステップＳ４０で確定した体重値、およびＢＭＩもあわせて表示される。これらの情報は、表示部２０の第１の表示領域２０．１に表示され、第２の表示領域２０．２では、人体図の全て（全身）が点灯される。
【０１１９】
また、表示部２０の第１の表示領域２０．１が小さい場合などには、これらの情報を順に表示することとしてもよい。たとえば、図１３に示すように、はじめに、体重および基礎代謝を表示し（図１３（ａ）参照）、その後、設定／表示切替スイッチ３０６が操作される度に、順に、筋肉率および体脂肪率の表示（図１３（ｂ）参照）、ＢＭＩおよび内臓脂肪レベルの表示（図１３（ｃ）参照）、年齢指標の表示（図１３（ｄ）参照）と切り替え、これらが繰り返し表示させることとしてもよい。なお、図１３では、個人番号１の被験者の測定結果が表示されているものとする。
【０１２０】
たとえば図１３（ａ）では、第１の表示領域２０．１に、体重５２．３ｋｇ、基礎代謝１１８２ｋｃａｌと表示される。図１３（ｂ）では、第１の表示領域２０．１に、筋肉率２８．８％、体脂肪率２３．０％と表示される。図１３（ｃ）では、第１の表示領域２０．１に、ＢＭＩ２０．４％、内臓脂肪レベル３と表示される。図１３（ｄ）では、第１の表示領域２０．１に、年齢指標２７才と表示される。また、図１３（ａ）〜（ｄ）において、第２の表示領域２０．２には、人体図の全て（全身）が点灯される。
【０１２１】
ステップＳ５８の処理が終了すると、ステップＳ６０に進み、マイコン１０は、メモリスイッチ３０７が押されたか否かを判断する。メモリスイッチ３０７が押されなかったと判断した場合（ステップＳ６０においてＮＯ）、続いて部位別スイッチ３０２〜３０５が押されたか否かを判断する（ステップＳ６４）。
【０１２２】
ステップＳ６４で部位別スイッチ３０２〜３０５が押されなかったと判断した場合（ステップＳ６４にてＮＯ）、マイコン１０は、体組成計１００の電源を切ってこの測定処理を終了する（ステップＳ６８）。
【０１２３】
一方、ステップＳ６４において部位別スイッチ３０２〜３０５のいずれかが押されたと判断した場合（ステップＳ６４においてＹＥＳ）、マイコン１０は、ステップＳ６４において押されたスイッチの種類に対応する被測定部位の体組成の測定値を表示部２０に表示させる（ステップＳ６６）。この場合、表示部２０の第１の表示領域２０．１には、指定された被測定部位の体組成が表示される。また、第２の表示領域２０．２では、指定された被測定部位が点灯表示される。
【０１２４】
ここで、ステップＳ６４で、部位別スイッチ３０２〜３０５のうち、体幹スイッチ３０３，脚スイッチ３０４，腕スイッチ３０５のいずれかが押圧された場合の表示例を、図１４に示す。
【０１２５】
図１４（ａ）は、体幹スイッチ３０３が押された場合の体幹部の体組成の表示例である。たとえば、筋肉率３２．１％、体脂肪率２５．３％が表示される。また、第２の表示領域２０．２には、人体図のうち体幹部の部分が点灯表示される。
【０１２６】
図１４（ｂ）は、脚スイッチ３０４が押された場合の脚部の体組成の表示例である。たとえば、筋肉率５０．０％、体脂肪率３３．８％が表示される。また。第２の表示領域２０．２には、人体図のうち脚部の部分が点灯表示される。
【０１２７】
図１４（ｃ）は、腕スイッチ３０５が押された場合の腕部の体組成の表示例である。たとえば、筋肉率４５．０％、体脂肪率３６．４％が表示される。また、第２の表示領域２０．２には、人体図のうち腕部の部分が点灯表示される。
【０１２８】
なお、全身スイッチ３０２が押された場合には、図１３（ｂ）に示した表示に戻る。
【０１２９】
ステップＳ６６の処理が終了すると、再びステップＳ６０に戻る。
【０１３０】
ステップＳ６０において、メモリスイッチ３０７が押されたと判断した場合（ステップＳ６０においてＹＥＳ）、マイコン１０は、外部メモリ３３に記憶された過去の測定結果であるメモリ値を、表示部２０の第１の表示領域２０．１に表示する（ステップＳ６２）。
【０１３１】
この場合、直前に表示されていた被測定部位に対応したメモリ値を読み出して表示する。たとえば、直前に、脚部の体組成が表示されていた場合、メモリスイッチ３０７が押されると、脚部の体組成の過去の測定結果が読み出されて表示される。
【０１３２】
また、ステップＳ６０において、メモリスイッチ３０７が押される度に、たとえば１週間前、２週間前というように、遡って対応する被測定部位の過去の測定結果が表示される。これにより、過去の測定値と比較した体組成の変化を把握することができる。
【０１３３】
ステップＳ６２の処理が終了すると、再びステップＳ６０に処理を戻す。
【０１３４】
次に、上記ステップＳ５０に示したインピーダンス補正処理について説明する。
【０１３５】
図１２は、実施の形態１におけるインピーダンス補正処理の流れを示すフローチャートである。
【０１３６】
図１２を参照して、はじめに、インピーダンス補正部１０２は、計時部３４からの信号に基づき、測定時刻ｔを計測する（ステップＳ１０２）。続いて、インピーダンス補正部１０２は、補正関数が選択済か否かを判断する（ステップＳ１０３）。ステップＳ１０３においては、たとえば、外部メモリ３３内の所定の領域に、選択された補正関数の定数（ａ１，ｂ１）が格納されているか否かを検知することにより判断される。
【０１３７】
補正関数が選択済であれば（ステップＳ１０３においてＹＥＳ）、ステップＳ１０４に進む。一方、補正関数が選択済でなければ（ステップＳ１０３においてＹＥＳ）、インピーダンス補正部１０２は、補正関数を選択する処理を行なう（ステップＳ１０９）。なお、ステップＳ１０９の処理は、既に説明したとおりである。
【０１３８】
そして、ステップＳ１０９の処理が終了すると、ステップＳ１０４に進む。
【０１３９】
ステップＳ１０４において、ステップＳ１０２において計測した測定時刻ｔと、予め定められた基準時刻Ｔ０との差Δｔを算出する。
【０１４０】
次に、インピーダンス補正部１０２は、インピーダンス補正量を算出する（ステップＳ１０６）。ステップＳ１０６において、上記（５）式と、上記図９に示したインピーダンスの日内変動の例とを用いると、次のように算出することができる。
【０１４１】
図９を参照して、たとえば予め８時が基準時刻とされている場合、８時〜２４時の腕部（上肢）の補正関数ｇ１ｈ（ｔ）は、ｇ１ｈ（ｔ）＝１．２５・（ｔ−８）とすることができる。したがって、ステップＳ１０２で計測された測定時刻が１６時であれば、腕部のインピーダンス補正量は、ｇ１ｈ（１６）＝１．２５・（１６−８）より、−１０（Ω）と算出される。
【０１４２】
ステップＳ１０６においてインピーダンス補正量が算出されると、計測されたインピーダンスを補正して、補正後のインピーダンスを算出する（ステップＳ１０８）。
【０１４３】
ステップＳ１０８においては、上記例に基づくと、腕部の補正後のインピーダンスをＺｈ’、計測された腕部のインピーダンスをＺｈとすると、Ｚｈ’＝Ｚｈ−１０と算出される。
【０１４４】
以上で、インピーダンス補正処理は終了される。
【０１４５】
上述のように、本発明の実施の形態１における体組成計１００によると、時刻とインピーダンス補正量とを対応付けた補正関数を用いることにより、体水分の移動の影響による部位別のインピーダンスの日内変動を補正することができる。したがって、全身および部位別の体組成を精度良く測定することができる。
【０１４６】
なお、実施の形態１では、全身および部位別のインピーダンスを計測し、全身および部位別の体組成を計算するものとして説明したが、少なくとも部位別のインピーダンスを計算し、部位別の体組成を計算するものであればよい。
【０１４７】
［実施の形態１の変形例１］
上記実施の形態１では、部位別のインピーダンス補正量を算出するとき、予め基準時刻が定められていた。実施の形態１の変形例１では、被験者が基準時刻を設定することができる。実施の形態１の変形例において、時刻とインピーダンス補正量とが対応付けられた用いられる補正関数を「ｇ２（Ｔ）」と表わす。
【０１４８】
なお、本実施の形態１の変形例１における体組成計の外観や構成については、上記実施の形態と同様であるので、図３に示した体組成計１００の符号を用い、ここでの説明は繰り返さない。また、実施の形態１の変形例１における体組成計１００の測定処理についても、実施の形態１と同様であるので、ここでの説明は繰り返さない。
【０１４９】
上述したように、部位別のインピーダンスは、体水分の移動による日内変動の影響を受ける。したがって、日々の体組成の変動や、減量効果を正しく把握するためには、毎日同じ時刻に測定するのが望ましい。
【０１５０】
しかしながら、たとえば毎日８時に体組成を測定すると決めていたとしても、８時に測定することができない場合がある。そうすると、部位別の体組成は、部位別インピーダンスの日内変動の影響を受けてしまい、日々の体組成の変動や減量効果を正しく把握することができなくなる。
【０１５１】
そこで、本発明の実施の形態１の変形例１においては、被験者の生活リズムに合わせた基準時刻を任意に設定することができるものとする。
【０１５２】
実施の形態１の変形例１では、たとえば、操作部３０の設定／表示切替スイッチ３０６および上下スイッチ３０８を用いることにより、基準時刻を設定することができる。基準時刻は、たとえば、被験者が身体特定情報を入力する際に設定される。
【０１５３】
また、たとえば、第２の筐体２の本体部２．１に、基準時刻設定用のスイッチを新たに設けてもよい。この場合、たとえば、被験者が、はじめに、この基準時刻設定用のスイッチを押圧したときの時刻を計時部３４より取得して、その時刻を基準時刻として設定することができる。
【０１５４】
なお、この基準時刻を、被験者が修正できるようにしてもよい。これにより、被験者の生活リズムが変わった場合でも、過去の測定結果を残したまま、都合の良い基準時刻で部位別インピーダンスの補正を行なうことができる。
【０１５５】
本発明の実施の形態１の変形例１において、インピーダンス計測部１０１が計測した部位別インピーダンスを「Ｚｚ」とすると、補正後の部位別インピーダンス「Ｚｚ’」は、次式のように表わされる。
【０１５６】
Ｚｚ’＝Ｚｚ＋ｇ２（Ｔ）
そして、補正関数ｇ２（Ｔ）は、測定時刻をｔ、被験者が設定した基準時刻をＴ０とすると、補正関数ｇ２（Ｔ）は、ｇ２（ｔ−Ｔ０）で表わされる。このような補正関数ｇ２（ｔ−Ｔ０）は、たとえば次式のように表わされる。なお、ａ２，ｂ２は、所定の定数である。
【０１５７】
ｇ２（ｔ−Ｔ０）＝ａ２・（ｔ−Ｔ０）＋ｂ２
なお、補正関数ｇ２（ｔ−Ｔ０）は、このような１次関数に限られない。
【０１５８】
図１５は、本発明の実施の形態１の変形例１における補正関数について説明するための第１の図である。
【０１５９】
図１５（ａ）には、図９に示した例と同じ、インピーダンスの日内変動の一例が示される。被験者が、８時を基準時刻として設定した場合、インピーダンスの変化量は、図１５（ｂ）のようになる。
【０１６０】
このような場合、図１５を参照して、たとえば、８時〜２４時の腕部（上肢）の補正関数ｇ２ｈ（ｔ−Ｔ０）は、
ｇ２ｈ（ｔ−８）＝１．２５・（ｔ−８）
とすることができる。
【０１６１】
したがって、図１２に示したステップＳ１０２で計測された測定時刻が１６時であれば、ステップＳ１０６において、腕部のインピーダンス補正量は、ｇ２ｈ（１６−８）＝１．２５・（１６−８）より、−１０（Ω）と算出される。
【０１６２】
また、図１６は、本発明の実施の形態１の変形例１における補正関数について説明するための第２の図である。
【０１６３】
図１６（ａ）には、図９に示した例と同じ、インピーダンスの日内変動の一例が示される。被験者が、１６時を基準時刻として設定した場合、インピーダンスの変化量は、図１６（ｂ）のようになる。
【０１６４】
このような場合、図１６を参照して、たとえば、１６時〜２４時の腕部（上肢）の補正関数は、
ｇ２ｈ（ｔ−１６）＝１．２５・（ｔ−１６）
とすることができる。
【０１６５】
したがって、図１２に示したステップＳ１０２で計測された測定時刻が２０時であれば、ステップＳ１０６において、腕部のインピーダンス補正量は、ｇ２ｈ（２０−１６）＝１．２５・（２０−１６）より、−５（Ω）と算出される。
【０１６６】
なお、本発明の実施の形態１の変形例１では、図１２のステップＳ１０４において、時間差Δｔが「０」、すなわち、測定時刻と基準時刻とが同じ場合には、ステップＳ１０６の処理をスキップして、インピーダンス補正量を「０」としてもよい。
【０１６７】
このように、実施の形態１の変形例１では、被験者が生活リズムに合わせた基準時刻を任意に設定することができる。したがって、被験者は、日々の体組成の変化を正確に捉えることが可能となる。
【０１６８】
［実施の形態１の変形例２］
上記実施の形態１およびその変形例１では、予め、補正関数の定数の候補となる複数の定数が外部メモリ３３に記憶されていた。
【０１６９】
実施の形態１の変形例２における体組成計は、被験者の過去のインピーダンス計測データより、補正関数を作成する機能を有する。「過去のインピーダンス計測データ」とは、過去にインピーダンス計測部１０１で計測された、全身および部位別インピーダンスのデータをいうものとする。なお、たとえば、脚部のインピーダンスＺｆのみ補正をする場合などは、インピーダンス計測部１０１で計測された全身のインピーダンスＺｗおよび脚部のインピーダンスＺｆのみのデータであってもよい。
【０１７０】
なお、本実施の形態１の変形例２における体組成計の外観や構成については、上記実施の形態１と同様であるので、図３に示した体組成計１００の符号を用い、ここでの説明は繰り返さない。
【０１７１】
実施の形態１の変形例２では、外部メモリ３３には、予め候補となる補正関数の定数は記憶されていない。したがって、被験者が、はじめの数日間、複数回に分けて測定するなど、所定の条件が満たされると、補正関数が作成される。
【０１７２】
このように、補正関数を作成するためには、被験者は、数日間続けて、たとえば２〜４時間ごとに体組成を測定することが望ましい。
【０１７３】
実施の形態１の変形例２では、過去のインピーダンス計測データを、測定時刻とともに外部メモリ３３の所定の領域に記憶しておく。
【０１７４】
そして、所定の条件が満たされると、被験者の１日の変動の傾向より、補正関数が作成される。なお、実施の形態１の変形例２において作成される補正関数を、以下、「ｇ３（ｔ）」と記す。
【０１７５】
図１７は、実施の形態１の変形例２におけるインピーダンス補正処理の流れを示すフローチャートである。なお、図１２に示した実施の形態１におけるインピーダンス補正処理と同様の処理については、同じステップ番号を付し、その説明は繰り返さない。
【０１７６】
図１７を参照して、はじめに、インピーダンス補正部１０２は、ステップＳ２００において、インピーダンス補正量を「０」とする。次に、ステップＳ１０２において、計時部３４からの信号に基づき、測定時刻が計測されると、ステップＳ２０１に進み、インピーダンス補正部１０２は、全身および部位別のインピーダンス計測データを、測定時刻とともに、外部メモリ３３の所定の領域に記憶する。
【０１７７】
ステップＳ２０１の処理が終わると、インピーダンス補正部１０２は、既に補正関数ｇ３（ｔ）が作成済か否かを判断する（ステップＳ２０３）。補正関数ｇ３（ｔ）が作成済みであれば（ステップＳ２０３においてＹＥＳ）、ステップＳ２１８に進む。
【０１７８】
一方、補正関数ｇ３（ｔ）が作成済みでなければ（ステップＳ２０３においてＮＯ）、ステップＳ２１４に進み、補正関数ｇ３（ｔ）作成のための所定の条件を満たしたか否かを判断する。すなわち、外部メモリ３３の所定の領域に記憶されたインピーダンス計測データおよび測定時刻をもとに、１日における変動の傾向から、補正関数ｇ３（ｔ）が作成可能か否かを判断する。所定の条件としては、たとえば、５日間連続して測定され、１日に３回以上測定した場合、などが考えられる。なお、この条件は、予め定められているものとする。
【０１７９】
ステップＳ２１４において、所定の条件を満たしていないと判断した場合（ステップＳ２１４においてＮＯ）、このインピーダンス補正処理を終了する。
【０１８０】
一方、所定の条件を満たしていると判断した場合（ステップＳ２１４においてＹＥＳ）、補正関数ｇ３（ｔ）の作成処理を行なう（ステップＳ２１６）。
【０１８１】
ステップＳ２１６の処理は、たとえば、過去のデータから、最小二乗法により近似式を作成することで実現することができる。なお、複数の点に所定の次数で仮定して、フィッテングにより補正関数を決定してもよい。また、複数の点により、内挿または外挿によって測定時刻に基づく補正関数を求めてもよい。
【０１８２】
ステップＳ２１６の処理を終えると、上記したステップＳ１０４〜Ｓ１０８の処理を行なって、インピーダンス補正処理を終了する。
【０１８３】
上記ステップＳ２１８において、インピーダンス補正部１０２は、補正関数ｇ３（ｔ）を更新するか否かを判断する。ここでは、たとえば所定日数が経過したときに、記憶されたインピーダンス計測データの日内変動の傾向より、修正が必要か否かが判断される。
【０１８４】
ステップＳ２１８において、更新しないと判断した場合（ステップＳ２１８においてＮＯ）、上記したステップＳ１０４〜Ｓ１０８の処理を行なって、インピーダンス補正処理を終了する。
【０１８５】
一方、ステップＳ２１８において、更新すると判断した場合（ステップＳ２１８においてＹＥＳ）、上記ステップＳ２１６に進み、上述の処理を行なう。
【０１８６】
このように、本発明の実施の形態１の変形例２では、被験者の過去のインピーダンス計測データと測定時刻とに基づいて、補正関数が作成される。したがって、被験者の体格や体質に応じた補正関数により、インピーダンスの日内変動を補正することができる。
【０１８７】
また、予め外部メモリ３３に、複数の補正関数の定数の候補を記憶しておく必要がないため、メモリ容量を少なくすることもできる。
【０１８８】
なお、実施の形態１の変形例２における補正関数ｇ３（ｔ）は、実施の形態１のように、予め基準時刻が定められたものであってもよいし、実施の形態１の変形例１のように、被験者が任意に基準時刻を設定できるもの（ｇ３（ｔ−Ｔ０））であってもよい。
【０１８９】
また、実施の形態１の変形例２では、ステップＳ２０１で測定の度にインピーダンス計測データと測定時刻とを外部メモリ３３の所定の領域に記憶し、一度補正関数ｇ３（ｔ）が作成された後も更新（ステップＳ２１８，Ｓ２１６）を行なうものとしたが、最初に作成された補正関数ｇ３（ｔ）を固定的に用いることとしてもかまわない。
【０１９０】
また、逆に、実施の形態１およびその変形例１においては、一度、補正関数が決まると（図１２のステップＳ１０９参照）、以降変更されることはなかったが、所定の条件により、修正されるものであってもよい。この場合も、たとえば最小二乗法により近似式を作成することで行なってもよいし、複数の点に所定の次数で仮定して、フィッテングにより補正関数を決定してもよい。
【０１９１】
なお、本発明の体組成計が行なう、インピーダンス補正方法を、プログラムとして提供することもできる。このようなプログラムは、コンピュータに付属するフレキシブルディスク、ＣＤ−ＲＯＭ（Compact Disc-ROM）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１９２】
提供されるプログラム製品は、ハードディスクなどのプログラム格納部にインストールされて実行される。なお、プログラム製品は、プログラム自体と、プログラムが記録された記録媒体とを含む。
【０１９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９４】
【図１】本発明の実施の形態１における体組成計の外観斜視図である。
【図２】被験者が本発明の実施の形態１における体組成計を用いて、体組成を測定する際の測定姿勢を示す図である。
【図３】本発明の実施の形態１における体組成計のブロック図である。
【図４】体組成計の第２の筐体２の正面図である。
【図５】各身体部位のインピーダンス成分を示す模式図である。
【図６】全身のインピーダンス成分を示す模式図である。
【図７】左腕のインピーダンスの計測方法を説明するための図である。
【図８】全身のインピーダンスの計測方法を説明するための図である。
【図９】インピーダンスの日内変動の一例を示す図である。
【図１０】本発明の実施の形態１における体組成計の測定処理の流れを示す第１のフローチャートである。
【図１１】本発明の実施の形態１における体組成計の測定処理の流れを示す第２のフローチャートである。
【図１２】本発明の実施の形態１におけるインピーダンス補正処理の流れを示すフローチャートである。
【図１３】全身の測定結果の表示例を示す図である。
【図１４】部位別の測定結果の表示例を示す図である。
【図１５】本発明の実施の形態１の変形例１における補正関数について説明するための第１の図である。
【図１６】本発明の実施の形態１の変形例１における補正関数について説明するための第２の図である。
【図１７】本発明の実施の形態１の変形例２におけるインピーダンス補正処理の流れを示すフローチャートである。
【符号の説明】
【０１９５】
１  第１の筐体、１．１，１．２  載置部、２  第２の筐体、２．１  本体部、２．２，２．３  グリップ部、３  ケーブル、４  収納部、１０  マイクロコンピュータ、１１〜１８  電極、２０  表示部、２０．１  第１の表示領域、２０．２  第２の表示領域、３０  操作部、３１  電源部、３２  体重計測部、３３  外部メモリ、３４  計時部、４１  高周波定電流発生回路、４２  電流印加用電極切替回路、４３  電圧測定用電極切替回路、４４  入力切替回路、４５  Ａ／Ｄ変換回路、１００  体組成計、１０１  インピーダンス計測部、１０２  インピーダンス補正部、１０３  体組成計算部、１３３  内部メモリ、３０１  電源スイッチ、３０２  全身スイッチ、３０３  体幹スイッチ、３０４  脚スイッチ、３０５  腕スイッチ、３０６  設定／表示切替スイッチ、３０７  メモリスイッチ、３０８  上下スイッチ、３０９  個人番号スイッチ、３１０  ゲストスイッチ。
【図１】
2006223560.tif 000003
【図２】
2006223560.tif 000004
【図３】
2006223560.tif 000005
【図４】
2006223560.tif 000006
【図５】
2006223560.tif 000007
【図６】
2006223560.tif 000008
【図７】
2006223560.tif 000009
【図８】
2006223560.tif 000010
【図９】
2006223560.tif 000011
【図１０】
2006223560.tif 000012
【図１１】
2006223560.tif 000013
【図１２】
2006223560.tif 000014
【図１３】
2006223560.tif 000015
【図１４】
2006223560.tif 000016
【図１５】
2006223560.tif 000017
【図１６】
2006223560.tif 000018
【図１７】
2006223560.tif 000019